(57)【要約】【課題】  災害時、無線電話網が途絶若しくは輻輳した場合に、利用者に現在位置を提示できる位置情報提供システム及びその携帯端末装置，位置情報演算表示方法，位置情報表示用プログラムを提供する。【解決手段】  携帯電話３が、定期的に無線基地局５にアクセスして無線基地局５周辺の地図情報をダウンロードし保存しておき、その予め保存した地図情報と電柱や公衆電話，郵便ポスト等の構造物１に貼付されたＩＣタグ２から読み取ったその地点の位置情報とを合成して利用者の現在位置を示す地図を画面に表示する。【選択図】図１
2007235496.tif 000002
【特許請求の範囲】
【請求項１】
地図情報を記憶した地図情報提供サーバから通信ネットワークを介して地図情報を読み込む地図情報読込手段と、この読み込んだ地図情報を記憶する地図情報記憶手段と、特定の地点に配置された位置情報記録装置に記録されたその地点の位置情報を読み取る位置情報読取手段と、この読み取った位置情報と前記地図情報記憶手段に予め記憶された地図情報とを合成して位置情報記録装置の配置地点を現在位置として示す地図を表示する現在位置表示手段とを備えたことを特徴とする携帯端末装置。
【請求項２】
前記請求項１に記載の携帯端末装置において、
利用者の操作により入力された目的地情報を基に目的地を設定する目的地設定手段を備えるとともに、前記地図情報読込手段が読み込む地図情報が、携帯端末装置の現在位置周辺を含む地域から前記目的地設定手段に設定された目的地までの地図情報であることを特徴とする携帯端末装置。
【請求項３】
前記請求項１又は２に記載の携帯端末装置において、
前記地図情報読込手段が、前記地図情報提供サーバから地図情報を随時読み込むようにしたことを特徴とする携帯端末装置。
【請求項４】
前記請求項１乃至３のいずれかに記載の携帯端末装置において、
前記位置情報記録装置がＩＣタグであり、前記位置情報読取手段がＩＣタグリーダであることを特徴とする携帯端末装置。
【請求項５】
地図情報を記憶した地図情報提供サーバから通信ネットワークを介して地図情報を読み込み記憶する地図情報記憶工程と、
特定の地点に配置された位置情報記録装置に記録されたその地点の位置情報を読み取る位置情報読取工程と、
前記位置情報記録装置から読み取った位置情報と予め記憶した地図情報とを合成して位置情報記録装置の位置を現在位置として示す地図を表示する現在位置表示工程とを有したことを特徴とする位置情報演算表示方法。
【請求項６】
前記請求項５に記載の位置情報演算表示方法において、
前記地図情報記憶工程の前に、入力された目的地情報を基に目的地を設定する目的地設定工程を有し、前記地図情報記憶工程で読み込む地図情報が、現在位置周辺を含む地域から前記目的地設定工程で設定した目的地までの地図情報であることを特徴とする位置情報演算表示方法。
【請求項７】
前記請求項５又は６に記載の位置情報演算表示方法において、
前記地図情報記憶工程は、前記地図情報提供サーバから地図情報を随時読み込み記憶するとしたことを特徴とする位置情報演算表示方法。
【請求項８】
地図情報を記憶した地図情報提供サーバから通信ネットワークを介して地図情報を読み込む地図情報読込処理と、この地図情報を記憶する地図情報記憶処理と、特定の地点に配置された位置情報記録装置に記録されたその地点の位置情報を読み取る位置情報読取処理と、この読み取った位置情報と前記地図情報記憶処理で予め記憶した地図情報とを合成して位置情報記録装置の位置を現在位置として示す地図を表示する現在位置表示処理とをコンピュータに実行させることを特徴とする位置情報表示用プログラム。
【請求項９】
前記請求項８に記載の位置情報表示用プログラムにおいて、
利用者の操作により入力された目的地情報をもとに目的地を設定する目的地設定処理を前記コンピュータに実行させるとともに、前記地図情報読込処理で読み込む地図情報が、前記コンピュータの現在位置周辺を含む地域から前記目的地設定処理で設定された目的地までの経路を示す地図情報であることを特徴とする位置情報表示用プログラム。
【請求項１０】
前記請求項８又は９に記載の位置情報表示用プログラムにおいて、
前記地図情報読込処理は、前記地図情報提供サーバから地図情報を随時読み込むとしたことを特徴とする位置情報表示用プログラム。
【発明の詳細な説明】
【技術分野】
【０００１】
本発明は、利用者に現在位置情報を提示する携帯端末装置及びその位置情報演算表示方法，位置情報表示用プログラムに関し、特に災害時において利用者に現在位置を提示できるようにした携帯端末装置及びその位置情報演算表示方法，位置情報表示用プログラムに関する。
【背景技術】
【０００２】
災害時、被災者にとって、現在地から避難所又は自宅までの避難経路を認知することはとても重要である。そこで、外出時に現在位置を得る方法として携帯電話を用いた位置検出方法がある。携帯電話を用いた従来の位置検出方法では、携帯電話が、ＧＰＳ（Ｇｌｏｂａｌ  Ｐｏｓｉｔｉｏｎｉｎｇ  Ｓｙｓｔｅｍ）衛星からの電波を受信して位置情報を認識すると共に、無線電話網経由で地図情報を提供するサーバと通信して現在地を示す地図を画面に表示する方法が知られている。しかし、この方法は、ＧＰＳ機能を搭載していない携帯電話では実行できない方法である。
【０００３】
そこで、ＧＰＳ機能を用いることなく現在位置を得る方法として、特許文献１に開示された地図情報提供システムが知られている。このシステムは、電柱などにその地点の位置情報と地図情報提供サーバのアドレス情報を記録したＱＲコードを掲示しておき、そのＱＲコードを読み取った携帯電話が、無線電話網経由で地図情報提供サーバから位置情報に基づいた地図情報を取得するシステムである。
【０００４】
【特許文献１】特開２００４‐２１３１９１号公報
【発明の開示】
【発明が解決しようとする課題】
【０００５】
しかしながら、特許文献１が示すシステムは、携帯電話が無線電話網経由で地図情報提供サーバにアクセスできないと、現在位置を示す地図情報を得ることもできないので、災害時に無線電話網が途絶若しくは輻輳した場合には利用できないという不都合があった。
【０００６】
そこで、本発明は、災害時に無線電話網が途絶若しくは輻輳した場合でも、利用者に現在位置を提示できるようにした携帯端末装置及びその位置情報演算表示方法，位置情報表示用プログラムを提供することを、その目的とする。
【課題を解決するための手段】
【０００７】
上記目的を達成するために、本発明の携帯端末装置は、地図情報を記憶した地図情報提供サーバから通信ネットワークを介して地図情報を読み込む地図情報読込手段と、この読み込んだ地図情報を記憶する地図情報記憶手段と、特定の地点に配置された位置情報記録装置に記録されたその地点の位置情報を読み取る位置情報読取手段と、この読み取った位置情報と地図情報記憶手段に予め記憶された地図情報とを合成して位置情報記録装置の配置地点を現在位置として示す地図を表示する現在位置表示手段とを備えたことを特徴とする。
【０００８】
このような携帯端末装置は、予め地図情報提供サーバから地図情報をダウンロードして保存しておき、特定の地点に配置された位置情報記録装置からその地点の位置情報を読み取ると、その位置情報と予め保存しておいた地図情報とを合成して利用者の現在位置を示す地図を画面に表示する。これにより、利用者は、携帯端末装置の画面を見ることによって、現在位置を正確に認知することができる。
【０００９】
また、上記の携帯端末装置は、利用者の操作により入力された目的地情報を基に目的地を設定する目的地設定手段を備えるとともに、上述の地図情報読込手段が読み込む地図情報が、携帯端末装置の現在位置周辺を含む地域から目的地設定手段に設定された目的地までの地図情報であるとしてもよい。
【００１０】
この場合、携帯端末装置が、現在位置周辺を含む地域から目的地までの経路を示す地図を予め保存することにより、利用者の現在位置から目的地までの経路を示す地図を表示することができる。これにより、携帯端末装置を所持する利用者は、現在位置から目的地までの経路を正確に認知することができる。また、利用者の操作によって目的地を設定できるので、利用者は目的地を自由に変更することができる。ここで、現在位置周辺を含む地域は、上述の位置情報記録装置に記録された位置情報を読み取りその位置情報を現在位置とする場合や、携帯端末装置と接続している基地局の通信エリアを現在位置周辺とする場合等が考えられる。
【００１１】
更に、上記の携帯端末装置において、地図情報読込手段が、地図情報提供サーバから地図情報を随時読み込むようにしてもよい。この場合、携帯端末装置は、利用者の操作に寄らずその時々に地図情報提供サーバから地図情報をダウンロードし保存する。これにより、新しい地図情報を表示することができる。また、利用者が移動した場合でも、移動した先での現在位置周辺を含む地域から目的地設定手段に設定された目的地までの地図情報が地図情報記憶手段に記憶されるので、利用者は、移動した先でも現在位置から目的地までの経路を正確に認知することができる。
【００１２】
また更に、上記の携帯端末装置において、位置情報記録装置がＩＣタグであり、前記位置情報読取手段がＩＣタグリーダであるとしてもよい。この場合、携帯端末装置は、位置情報記録装置に接触しないで位置情報を読み取ることができ、汚れやほこり等の影響を抑えることができる。
【００１３】
次に、本発明の位置情報演算表示方法は、地図情報を記憶した地図情報提供サーバから通信ネットワークを介して地図情報を読み込み記憶する地図情報記憶工程と、特定の地点に配置された位置情報記録装置に記録されたその地点の位置情報を読み取る位置情報読取工程と、この読み取った位置情報と予め記憶した地図情報とを合成して位置情報記録装置の位置を現在位置として示す地図を表示する現在位置表示工程とを有したことを特徴とする。
【００１４】
このような位置情報演算表示方法は、予め地図情報を記憶しておき、特定の地点に配置された位置情報記録装置からその地点の位置情報を読み取ると、この読み取った位置情報と予め記憶しておいた地図情報とを合成して利用者の現在位置を示す地図を画面に表示する。これにより、利用者は、現在位置を正確に認知することができる。
【００１５】
また、上記の位置情報演算表示方法において、上述の地図情報記憶工程の前に、入力された目的地情報を基に目的地を設定する目的地設定工程を有し、地図情報記憶工程で読み込む地図情報が、現在位置周辺を含む地域から目的地設定工程で設定した目的地までの地図情報であるとしてもよい。
【００１６】
この場合は、ダウンロードする地図情報が現在位置周辺を含む地域から目的地までを示す地図情報であるので、利用者は、現在位置から目的地までの経路を正確に認知することができる。
【００１７】
更に、上記の位置情報演算表示方法において、地図情報記憶工程は、地図情報提供サーバから地図情報を随時読み込み記憶するとしてもよい。この場合、その時々に地図情報提供サーバから地図情報を読み込むので、常に新しい地図情報を記憶することができる。また、利用者が移動した場合でも、利用者は、現在位置から目的地までの経路を正確に認知することができる。
【００１８】
次に、本発明の位置情報表示用プログラムは、地図情報を記憶した地図情報提供サーバから通信ネットワークを介して地図情報を読み込む地図情報読込処理と、この地図情報を記憶する地図情報記憶処理と、特定の地点に配置された位置情報記録装置に記録されたその地点の位置情報を読み取る位置情報読取処理と、この読み取った位置情報と地図情報記憶処理で予め記憶した地図情報とを合成して位置情報記録装置の位置を現在位置として示す地図を表示する現在位置表示処理とをコンピュータに実行させることを特徴とする。
【００１９】
このような位置情報表示用プログラムを用いることによって、そのコンピュータの現在位置を正確に提示することができる。
【００２０】
また、上記の位置情報表示用プログラムは、入力された目的地情報をもとに目的地を設定する目的地設定処理をコンピュータに実行させるとともに、上述の地図情報読込処理で読み込む地図情報が、コンピュータの現在位置周辺を含む地域から目的地設定処理で設定された目的地までの経路を示す地図情報であるとしてもよい。この場合は、コンピュータの現在位置から目的地までの経路を正確に提示することができる。
【００２１】
また、上記の位置情報表示用プログラムにおいて、地図情報読込処理は、地図情報提供サーバから地図情報を随時読み込むとしてもよい。この場合、その時々に地図情報提供サーバから地図情報を読み込むので、常に新しい地図情報を記憶することができる。また、コンピュータの位置が移動した場合でも、コンピュータの現在位置から目的地までの経路を正確に提示することができる。
【発明の効果】
【００２２】
以上説明したように、本発明によれば、災害時に無線電話網が途絶若しくは輻輳した場合において、携帯端末装置が、予め地図情報提供サーバからダウンロードし保存しておいた地図情報と予め配置された位置情報記録装置から読み取ったその地点の位置情報とを合成して利用者の現在位置を示す地図を画面に表示することができる。これにより、災害時の被災者は、現在位置を正確に認知することができる。
【発明を実施するための最良の形態】
【００２３】
以下、本発明における一実施形態を、図面を参照して説明する。
【００２４】
図１は、本発明の一実施形態の全体構成図である。図１に示すように、本実施形態は、電柱や公衆電話，郵便ポスト等の地域全体に点在する構造物１に貼付されたＩＣタグ２と、携帯電話３と、この携帯電話３と無線回線４を介して接続可能な無線基地局５と、この無線基地局５と通信ネットワーク６を介して接続可能な地図情報提供サーバ７とから構成されている。ＩＣタグ２には、そのＩＣタグ２が貼付されている構造物１の建っている地点を示す位置情報が記録されている。地図情報提供サーバ７には、地図情報が記憶されている。
【００２５】
ここで、本実施形態において、本発明に係る位置情報記録装置としてＩＣタグ２が用いられており、携帯端末装置として携帯電話３が用いられている。
【００２６】
次に、本実施形態の全体の動きについて説明する。ここで本発明に係る位置情報演算表示方法についても示す。
【００２７】
まず、利用者の操作により目的地が携帯電話３に設定登録される（目的地設定工程）。平常時、携帯電話３は定期的に無線基地局５へアクセスしており、携帯電話３には地図情報提供サーバ７からの地図情報が定期的にダウンロードされる（地図情報記憶工程）。ここでダウンロードされる地図情報は、携帯電話３の現在地周辺から目的地までを示す地図情報であり、定期的に地図情報がダウンロードされていることによって、利用者の移動に伴って携帯電話３が移動した場合は、その移動した地点周辺から目的地までを示す地図情報がダウンロードされる。よって、携帯電話３には、携帯電話３の位置を含む地図情報が常時記憶されていることになっている。
【００２８】
ここで、携帯電話３がダウンロードする現在地周辺から目的地までを示す地図情報における現在位置周辺を含む地域には、携帯電話３が構造物に予め貼付されたＩＤタグの位置情報を読み取り、その位置情報を現在位置とする場合や、携帯電話３と接続している基地局の通信エリアを現在位置周辺とする場合等が考えられる。
【００２９】
そして、災害時等において、利用者が現在位置を知りたい場合、携帯電話３を用いてＩＣタグ２に記録された構造物１の位置情報を読み取ると（位置情報読取工程）、無線基地局５の周辺から目的地までの地図上に構造物１の位置が示された地図情報が携帯電話３の画面に表示される（現在位置表示工程）。
【００３０】
さらに、携帯電話３の画面に表示された地図情報に従って利用者が目的地までの経路をたどる途中において、順次、別の構造物に貼付されたＩＣタグに記憶された位置情報を携帯電話３が読み取ると、目的地までの地図上に構造物の位置が示された地図情報が携帯電話３の画面に表示される。このようにして、利用者は、目的地までの経路に沿って建てられている構造物に貼付されたＩＣタグの情報を携帯電話３に読み取らせることによって、常に現在位置を認識しながら目的地にたどり着くことができる。
【００３１】
次に、図２は、図１に示す実施形態における携帯電話３の構成図である。
【００３２】
入力手段３０は、利用者の操作に従って情報及び命令を入力する。通信手段３１は、無線基地局５と無線回線４を介して接続しデータの送受信を行う。目的地設定手段３２は、入力手段３０で入力された目的地情報を設定登録する。地図情報読込手段３３は、情報提供サーバ７からの地図情報を読み込む。地図情報記憶手段３４は、地図情報読込手段３３が読み込んだ地図情報を記憶する。タグ情報読取手段３５は、構造物１に貼付されたＩＣタグ２に記録された位置情報を読み取るＩＣタグリーダである。地図情報合成手段３６は、タグ情報読取手段３５が読み取った位置情報と予め地図情報記憶手段３４に記憶されている地図情報を合成して、地図上に構造物１の位置が示された地図情報を作成する。表示手段３７は、地図情報等を画面に表示する。
【００３３】
ここで、タグ情報読取手段３５が、本発明に係る位置情報読取手段として機能し、地図情報合成手段３６とこの地図情報合成手段３６で作成された地図情報を表示する表示手段３７とが、本発明に係る現在位置表示手段として機能する。
【００３４】
次に、本実施形態における携帯電話３の処理動作について説明する。
【００３５】
図３は、図１に示す実施形態における携帯電話３の処理動作を示すフローチャートである。ここで、本発明に係る位置情報表示用プログラムにおける各処理についても示す。
【００３６】
まず、利用者の操作に従って目的地情報が入力手段３０に入力されると、この目的地情報が目的地設定手段３２に設定登録される（図３：ステップＳ１，目的地設定処理）。通信手段３１によって無線基地局５に接続され（図３：ステップＳ２）、地図情報読込手段３３によって現在地周辺から目的地までを示す地図情報が地図情報提供サーバ７からダウンロードされ（地図情報読込処理）、地図情報記憶手段３４に記憶される（図３：ステップＳ３，地図情報記憶処理）。この接続とダウンロードの処理動作は、タグ情報読取手段３５によってＩＣタグ情報が読み取られるまで定期的に繰り返される。これにより、利用者の移動に伴って携帯電話３が移動した場合は、その移動した先の地点周辺から目的地までの地図情報が地図情報記憶手段３４に記憶されることになる。
【００３７】
そして、タグ情報読取手段３５によって構造物１に貼付されたＩＣタグ２のＩＣタグ情報が読み取られると（図３：ステップＳ４のイエス，位置情報読取処理）、このＩＣタグ情報が示す構造物１の位置情報と地図情報記憶手段３４に予め記憶された地図情報とが地図情報合成手段によって合成され（図３：ステップＳ５）、現在位置である構造物１から目的地までの地図として画面に表示される（図３：ステップＳ６，現在位置表示処理）。
【００３８】
さらに、目的地までの経路にある別の構造物に貼付された別のＩＣタグのＩＣタグ情報が、タグ情報読取手段３５によって読み取られると（図３：ステップＳ７のイエス，位置情報読取処理）、このＩＣタグ情報が示す構造物の位置情報と地図情報記憶手段３４に予め記憶された地図情報とが地図情報合成手段によって合成され、現在位置である構造物の位置から目的地までの地図として画面に表示される。
【００３９】
ここで、本実施形態では、本発明に係る携帯端末装置として携帯電話を用いているが、通信機能を有する携帯可能な機器であればノートパソコンやＰＤＡ等を用いてもよい。また、本発明に係る位置情報記録装置としてＩＣタグを用いているが、位置情報を示すものであればＱＲコードやバーコード等を用いてもよい。ただ、ＱＲコードやバーコードでは、汚れ等により読み取り不可能になることが考えられるので、ＩＣタグを用いることが望ましい。
【００４０】
以上このような実施形態では、平常時に、携帯電話が、定期的に無線基地局にアクセスし、その現在地周辺から目的地までの地図情報を地図情報提供サーバからダウンロードして予め保存し、災害時に無線電話網が途絶若しくは輻輳した場合、被災者である利用者が、この携帯電話を用いて、電柱や公衆電話等の構造物に貼付されたＩＣタグに記録されたＩＣタグ情報を読み取ると、この携帯電話は、このＩＣタグ情報が示す構造物の位置情報と予め保存した地図情報を基に、構造物の位置を示す地図情報を作成して画面に表示する。これにより、災害によって無線電話網が途絶若しくは輻輳した場合においても、被災者は、現在位置を把握することができると共に、目的地までの経路情報を得ることができる。そして、目的地までの間にある構造物に貼付されたＩＣタグの情報を得ることによって、現在位置を確認しながら目的地を目指すことができる。
【００４１】
また、本実施形態は、災害時に限らず、平常時においていつでも利用者に現在位置を知らせることができる。
【図面の簡単な説明】
【００４２】
【図１】本発明の一実施形態の全体構成図である。
【図２】図１に示す実施形態における携帯電話３の構成図である。
【図３】図１に示す実施形態における携帯電話３の処理動作を示すフローチャートである。
【符号の説明】
【００４３】
１，８  構造物
２，９  ＩＣタグ
３  携帯電話
４  無線回線
５  無線基地局
６  通信ネットワーク
７  地図情報提供サーバ
３０  入力手段
３１  通信手段
３２  目的地設定手段
３３  地図情報読込手段
３４  地図情報記憶手段
３５  タグ情報読取手段
３６  地図情報合成手段
３７  表示手段
【図１】
2007235496.tif 000003
【図２】
2007235496.tif 000004
【図３】
2007235496.tif 000005